(57)【要約】【課題】稼動しているネットワーク株取引サイトと擬似した画面上にて、仮想貨幣を使用したネットワーク上での株取引を一通り体験する株取引体験システム、株取引体験方法及び株取引体験プログラムを提供する。【解決手段】各証券会社の取引環境に合う株取引シミュレーションサイトを運営する株取引体験会員サーバ群６は、擬似取引サーバ１０、ウォッチングサーバ３０、データベースサーバ４１及び株価サーバ４２等から構成される。擬似取引サーバ１０のＣＰＵ１６は、擬似取引サーバ送信手段１６ａ、擬似取引サーバ受信手段１６ｂ、検証手段１６ｃ、抽出手段１６ｄ、売り注文執行手段１６ｅ、口座残高計算手段１６ｆ、買い注文執行手段１６ｇ、注文取消手段１６ｈ、項目名変換手段１６ｉ及び判定手段ｊ等を備える。体験会員管理サーバ２０は、体験会員の管理及びウェブページの閲覧サービスを提供する。【選択図】　　　図１
2004126779.tif 000002
【特許請求の範囲】
【請求項１】
証券取引所サーバから配信される株価情報を管理する株価サーバと、
前記株価情報を用いて株取引を仲介する株取引サーバと同様の画面を提示し、仮想の株取引を行う株取引体験を、体験会員に提供する擬似取引サーバと、
前記擬似取引サーバで行われる前記株取引体験に関する情報及び前記体験会員に関する情報を体験会員記憶部にて記憶する体験会員記憶手段
とを備えることを特徴とする株取引体験システム。
【請求項２】
前記体験会員に関する情報の管理を行う体験会員管理サーバを更に備えることを特徴とする特徴とする請求項１に記載の株取引体験システム。
【請求項３】
前記体験会員管理サーバが、
前記擬似取引サーバが提示する画面を、前記体験会員が保持する端末の機種の属性に応じて変換して、提示する画面提示手段を更に備えることを特徴とする請求項２に記載の株取引体験システム。
【請求項４】
証券取引所サーバから配信される株価情報を株取引サーバが管理するステップと、
前記株価情報を用いて株取引を仲介する株取引サーバが生成する画面と同様の画面を前記擬似取引サーバで提示し、仮想の取引を行って株取引体験を体験会員に提供する擬似取引ステップと、
前記擬似取引ステップで行われる前記株取引体験に関する情報及び前記体験会員に関する情報を体験会員記憶部にて記憶する体験会員記憶ステップ
とを備えることを特徴とする株取引体験方法。
【請求項５】
前記体験会員に関する情報の管理を行う体験会員管理ステップを更に備えることを特徴とする請求項４に記載の株取引体験方法。
【請求項６】
前記体験会員管理ステップが、
前記擬似取引サーバが提示する画面を、前記体験会員が保持する端末の機種の属性に応じて変換して、提示する画面変換ステップを更に備えることを特徴とする請求項５に記載の株取引体験方法。
【請求項７】
証券取引所サーバから配信される株価情報を株取引サーバにて管理する株価管理命令と、
前記株価情報を用いて株取引を仲介する株取引サーバと同様の画面を提示し、仮想の取引を行って株取引体験を体験会員に提供する擬似取引命令と、
前記擬似取引命令で行われる前記株取引体験に関する情報及び前記体験会員に関する情報を体験会員記憶部にて記憶する記憶命令
とをコンピュータに実行させることを特徴とする株取引体験プログラム。
【請求項８】
前記体験会員情報の管理を行う体験会員管理命令を更に備えることを特徴とする請求項７に記載の株取引体験プログラム。
【請求項９】
前記体験会員管理命令が、
前記擬似取引サーバが提示する画面を、前記体験会員が保持する端末の機種の属性に応じて変換して、提示する画面変換命令を更に備えることを特徴とする請求項８に記載の株取引体験プログラム。
【発明の詳細な説明】
【０００１】
【発明の属する技術分野】
本発明は、稼動しているネットワーク取引システムと大きな変更がない、仮想貨幣を使用したネットワーク上での株取引を体験する株取引体験システム、株取引体験方法及び株取引体験プログラムに関するものである。
【０００２】
【従来の技術】
インターネット等の通信ネットワークの普及は近年目覚しく、通信ネットワーク上で複数の証券会社との株取引を行うことが可能となった。証券会社に足を踏み入れるのにはためらいがある、若しくは時間がないという顧客でも、インターネットを介した場合、気軽に、好きな時間に株取引に参加することが出来る。従い、株取引の顧客数は増加し、これに伴い通信ネットワーク上で株取引を行う証券会社も増加している。
【０００３】
証券会社側は、通信ネットワーク上での株取引の初心者の為に、説明用のＷｅｂページを閲覧させたり、ゲームとして株取引シミュレーションを体験できるサービス等を提供し（例えば、特許文献１参照。）、新規顧客の加入増加に力を注いでいる。
【０００４】
【特許文献１】
特開２００２−４９７５９号公報
【０００５】
【発明が解決しようとする課題】
しかしながら、従来の初心者用株取引シミュレーションでは、操作方法を動画で流す、実際の株取引の途中まで、例えば申し込みのみ等を行わせる、ゲームとして株取引を体験させる等の手法が用いられている。これは実際にオンラインで行う株取引方法とは異なっており、事実上の株取引時には新たに操作方法を学ぶ必要があった。この為、新規顧客は取引方法に不安を覚え、取引そのものを躊躇してしまうことがあった。
【０００６】
一方、証券会社においては、初心者用株取引シミュレーションの準備には多くのコストがかかっていた。又、顧客が事前に設定した株価変動が生じた場合にメールで通知するサービスにおいては、実際の時価を確認するまでに一定の時間と手間がかかっていた。
【０００７】
本発明は上記の問題点に鑑みて為されたもので、稼動しているネットワーク株取引サイトと擬似した画面上にて、仮想貨幣を使用したネットワーク上での株取引を一通り体験する株取引体験システム、株取引体験方法及び株取引体験プログラムを提供することを目的とする。
【０００８】
【課題を解決するための手段】
上記の課題を解決する為に、本発明の第１の特徴は、（イ）証券取引所サーバから配信される株価情報を管理する株価サーバと、（ロ）株価情報を用いて株取引を仲介する株取引サーバと同様の画面を提示し、仮想の株取引を行う株取引体験を、体験会員に提供する擬似取引サーバと、（ハ）擬似取引サーバで行われる株取引体験に関する情報及び体験会員に関する情報を体験会員記憶部にて記憶する体験会員記憶手段とを備える株取引体験システムであることを要旨とする。又、本発明の第１の特徴は、（ニ）体験会員に関する情報の管理を行う体験会員管理サーバを更に備え、（ホ）体験会員管理サーバが、擬似取引サーバが提示する画面を、体験会員が保持する端末の機種の属性に応じて変換して、提示する画面提示手段を備えること加えてもよい。
【０００９】
本発明の第２の特徴は、（イ）証券取引所サーバから配信される株価情報を株取引サーバが管理するステップと、（ロ）株価情報を用いて株取引を仲介する株取引サーバが生成する画面と同様の画面を擬似取引サーバで提示し、仮想の取引を行って株取引体験を体験会員に提供する擬似取引ステップと、（ハ）擬似取引ステップで行われる株取引体験に関する情報及び体験会員に関する情報を体験会員記憶部にて記憶する体験会員記憶ステップとを備える株取引体験方法であることを要旨とする。又、本発明の第２の特徴は、（ニ）体験会員に関する情報の管理を行う体験会員管理ステップを更に備え、（ホ）体験会員管理ステップが、擬似取引サーバが提示する画面を、体験会員が保持する端末の機種の属性に応じて変換して、提示する画面変換ステップを更に備えることを加えてもよい。
【００１０】
本発明の第３の特徴は、（イ）証券取引所サーバから配信される株価情報を株取引サーバにて管理する株価管理命令と、（ロ）株価情報を用いて株取引を仲介する株取引サーバと同様の画面を提示し、仮想の取引を行って株取引体験を体験会員に提供する擬似取引命令と、（ハ）擬似取引命令で行われる株取引体験に関する情報及び体験会員に関する情報を体験会員記憶部にて記憶する記憶命令とをコンピュータに実行させる株取引体験プログラムであることを要旨とする。又、本発明の第３の特徴は、（ニ）体験会員情報の管理を行う体験会員管理命令を更に備え、（ホ）体験会員管理命令が、擬似取引サーバが提示する画面を、体験会員が保持する端末の機種の属性に応じて変換して、提示する画面変換命令を更に備えることを加えてもよい。
【００１１】
【発明の実施の形態】
ユーザ端末の画面上から見て、稼動しているネットワーク取引システムと殆ど同様の動作を行う、仮想貨幣を使用したネットワーク上での株取引シミュレーションを体験する株取引体験システム、株取引体験方法及び株取引体験プログラムの実施の形態について、図面に基づいて以下に説明する。尚、本発明は以下の実施の形態にとらわれず、その趣旨を脱しない範囲で種々変更して実施できることは勿論である。
【００１２】
（株取引体験システム）
本発明の実施の形態に係る株取引体験システム１００は、図１に示すように、顧客が使用する端末である携帯電話２、パソコン３と、顧客に株取引シミュレーションを行わせる株取引シミュレーションサイトを運営する株取引体験業者システム４と、通信ネットワーク上で取引可能なサイトを運営するＡ証券会社システム７、Ｂ証券会社システム８、Ｃ証券会社システム９と、各証券取引所が有する証券取引所サーバ４３と、株価に関する情報を提供する情報配信サービスサーバ４４等を備えている。株取引体験業者システム４は、Ｗｅｂサーバである体験会員管理サーバ２０と、株の擬似取引を行う株取引体験会員管理サーバ群６を有している。携帯電話２及びパソコン３と、体験会員管理サーバ２０はインターネット１を介して接続されており、これにより顧客側の情報と取引サービスを行う業者側の情報の送受信が可能となっている。
【００１３】
Ａ証券会社システム７、Ｂ証券会社システム８及びＣ証券会社システム９は、それぞれが実際の株取引を行う為の株取引サーバ７ａ、８ａ、９ａと、既に株取引を行う入会登録済みの会員である口座会員に関する情報を格納した口座会員ファイル７ｂ、８ｂ、９ｂとを備えている。
【００１４】
株取引体験業者システム４は、Ａ証券会社システム７、Ｂ証券会社システム８及びＣ証券会社システム９より依頼を受けて、Ａ証券会社システム７、Ｂ証券会社システム８及びＣ証券会社９の実際の取引と同様な手順で仮想的な株取引を行う為の株取引シミュレーションサイトを作成し運営している。この際、Ａ証券会社システム７、Ｂ証券会社システム８及びＣ証券会社システム９それぞれが、異なる環境で取引を運営している為、各証券会社の取引環境にあわせ、全く同様な画面、フレーム、サイト等を利用して、株取引シミュレーションサイトは作成されている。又、証券取引所サーバ４３が提供する株価情報は、リアルタイムで配信された情報を利用してもよいし、数十分遅延した配信においては無料である為、この株取引シミュレーションサイトでは遅延した無料情報を使用してもよい。株取引体験業者システム４側と各証券会社側は、体験会員管理サーバ２０と株取引サーバ７ａ、８ａ、９ａをイントラネット、専用回線等の通信網で接続することにより通信可能となっている。
【００１５】
株取引シミュレーションサイトを作成及び運営する株取引体験会員管理サーバ群６は、擬似取引サーバ１０、ウォッチングサーバ３０、株取引体験会員管理サーバ群６が備える記憶装置の管理を行うデータベースサーバ４１及び証券取引所サーバ４３に接続された株価サーバ４２等から構成される。株取引体験サーバ群６及び体験会員管理サーバ２０は、一般的なコンピュータに所定の機能を実現するソフトウェアプログラムをインストールすることにより実現される。株価サーバは証券取引所からの情報を記憶する株価データベース４２ａを備えている。各サーバはＬＡＮケーブル５にて接続されている。又、ＬＡＮケーブル５には更に体験会員管理サーバ２０が接続されている。尚、体験会員管理サーバ２０は、ルータ等を介してＬＡＮケーブル５と別のノードに存在させても構わない。
【００１６】
（体験会員管理サーバ）
体験会員管理サーバ２０は、体験会員の管理を行う機能と、ウェブページの閲覧サービスを提供するＷｅｂサーバとしての機能を保持する。体験会員管理サーバ２０は、入力装置２１、出力装置２２、通信制御装置２３、主記憶装置２４、インターフェース２５、処理制御装置（ＣＰＵ）２６、体験会員記憶装置２７及び画面テンプレート記憶装置２９等を備えている。体験会員記憶装置２７は、証券会社毎に分類されＡ証券会社システム７の体験会員の情報は体験会員ファイル２８ａ、Ｂ証券会社システム８の体験会員の情報は体験会員ファイル２８ｂ、Ｃ証券会社システム９の体験会員の情報は体験会員ファイル２８ｃに記憶される。
【００１７】
体験会員ファイル２８ａ、２８ｂ、２８ｃは、図４及び図５に示すようなデータ構造をもっており、体験会員データ項目として、図４のように体験会員ＩＤ５１、会員名５２、ハンドルネームとして使用するＩＤ５３、パスワード５４、口座番号５５、口座残高５６及び保有株式５７等がある。口座番号５５、口座残高５６、保有株式５７は体験会員が仮想上で保持するもので、体験会員の保有する仮想貨幣及び仮想株の情報を表示する。保有株式５７はインデックスをつけた状態で複数存在して構わない。保有株式５７はデータ項目として、取引市場６１、銘柄をコード化した銘柄コード６２、銘柄名６３、現在保有している株数を示す保有株数６４を備える。
【００１８】
注文情報５８の注文データ項目として、図５に示すように、取引市場６１、銘柄コード６２、銘柄名６３、これから注文する株数を示す注文株数６５、指値６６及び成行６７を備える。指値６６には、事前に設定された売り買いの値段が入力され、これを基に売買注文を行う。買い注文の指値が、注文を受け付けた後に最初に付け合わされた株価のデータよりも高ければ、指値の価格で売買がされ、逆に売り注文の指値が、注文を受け付けた後に最初に付け合わされた株価のデータよりも安ければ、指値の価格で売買がされる。成行６７には、リアルタイムのスポットレートが入力され、注文を受け付けた後に最初に付け合わされた株価のデータで売買がなされたものとする。
【００１９】
画面テンプレート記憶装置２９は、携帯電話２及びパソコン３等のユーザ端末の種類、各ユーザ端末の機種やＯＳの種類等毎のフレームに対応するよう情報を変換させて提示する為の画面テンプレートを格納する。
【００２０】
処理制御装置（ＣＰＵ）２６は、体験会員管理サーバ送信手段２６ａ、体験会員管理サーバ受信手段２６ｂ、体験会員認証手段２６ｃ、パスワード認証手段２６ｄ、画面提示手段２６ｅ、ページ生成手段２６ｆ及び抽出手段２６ｇ等を備える。体験会員管理サーバ送信手段２６ａは、体験会員管理サーバ２０からパケット等のデータを送信する為のモジュールである。体験会員管理サーバ受信手段２６ｂは、体験会員管理サーバ２０宛てのパケット等のデータを受信する為のモジュールである。体験会員認証手段２６ｃは、体験会員の保有する体験会員ＩＤの認証を行うモジュールである。パスワード認証手段２６ｄは、体験会員の保有するパスワードの認証を行うモジュールである。体験会員認証手段２６ｃ及びパスワード認証手段２６ｄで行われる認証処理は、体験会員より入力された体験会員ＩＤ及びパスワードと、体験会員記憶装置２７に記憶されている体験会員ＩＤ５１及びパスワード５４との照合によって行われる。この認証にはＲＳＡ方式等の既存のデータ暗号化方式を用いる。画面提示手段２６ｅは、体験会員管理サーバが、擬似取引サーバが提示する画面を、体験会員が保持する端末の機種の属性に応じて変換して、提示する為のモジュールである。株取引シミュレーションサイトのページを体験会員が保持する多様な端末の機種、文字コード及び画面フレームに対応可能に変換させる。株取引シミュレーションサイトページのフレームが画一的であると、ユーザの端末の種類、通信業者の種類等により、文字のコード体系や、一画面に表示可能な文字数等に違いが生じる。これを防ぐ為、体験会員管理サーバ２０は機種及び通信業者毎のフレームに応じてページを変換する。ページ生成手段２６ｆは、株取引シミュレーションサイトにて表示するページや、体験会員宛てに送信する株情報に関するメールを作成する為のモジュールである。このページ及びメール作成はプログラムによって自動作成されても、オペレータ等が手動で作成してもよいものとする。抽出手段２６ｇは、体験会員記憶装置２７、画面テンプレート記憶装置２９内のレコードより、キーワードを基に該当レコードを抽出する抽出処理を行うモジュールである。
【００２１】
入力装置２１は、キーボード、マウス等により構成される。又、通信制御装置２３を介し外部装置より入力を行っても良い。ここで外部装置とは、遠隔に配置された端末、ＣＤ−ＲＯＭ、ＭＯ、ＺＩＰなどの記憶媒体及びそのドライブ装置等を指す。出力装置２２は、液晶ディスプレイ、ＣＲＴディスプレイ等の表示装置、インクジェットプリンタ、レーザープリンタ等の印刷装置等により構成される。通信制御装置２３は、通信回線を介してデータを他の汎用機、サーバ等に送受信する為の制御信号を生成するモジュールである。主記憶装置２４は、処理の手順を記述したプログラムや処理されるべきデータを一時的に記憶し、ＣＰＵ２６の要請に従ってプログラムの機械命令やデータを引き渡す。ＣＰＵ２６で処理されたデータは主記憶装置に書き込まれる。主記憶装置２４とＣＰＵ２６はアドレスバス、データバス、制御信号等で結ばれている。インターフェース２５は、通信制御装置２３と外部装置を接続するパラレルインターフェース、シリアルインターフェース、ＳＣＳＩ（スモールコンピュータシステム・インターフェース）等を指す。
【００２２】
（擬似取引サーバ）
擬似取引サーバ１０は、図２に示すように、入力装置１１、出力装置１２、通信制御装置１３、主記憶装置１４、インターフェース１５、処理制御装置（ＣＰＵ）１６とを備えている。又、データベースサーバ４１を介して、データベースサーバ４１が管理を行う体験会員記憶部１７、項目名変換記憶部１８及び銘柄コード記憶部１９等に接続されている。
【００２３】
体験会員記憶部１７は、図３の体験会員記憶装置２７が保持する各証券会社の体験会員ファイル２８ａ、２８ｂ、２８ｃを基にコピーされた情報を記憶する。体験会員記憶部１７の情報は、体験会員ファイル２８ａ、２８ｂ、２８ｃを基に、一定間隔毎に更新される。証券取引所毎、証券会社毎に項目が異なる場合、項目名変換記憶部１８はこれらを統一する為に使用する、図６に示す統一項目７２を格納する。詳細は後述する。銘柄コード記憶部１９は、銘柄名と、銘柄名に対応する銘柄コードを記憶する。銘柄コード記憶部１９は、図４及び図５の体験会員ファイル２８ａ、２８ｂ、２８ｃの銘柄コード６２のマスタファイルとなっている。
【００２４】
ＣＰＵ１６は、擬似取引サーバ送信手段１６ａ、擬似取引サーバ受信手段１６ｂ、検証手段１６ｃ、抽出手段１６ｄ、売り注文執行手段１６ｅ、口座残高計算手段１６ｆ、買い注文執行手段１６ｇ、注文取消手段１６ｈ、項目名変換手段１６ｉ及び判定手段ｊ等を備えている。
【００２５】
擬似取引サーバ送信手段１６ａは、擬似取引サーバ１０からパケット等のデータを送信する為のモジュールであり、擬似取引サーバ受信手段１６ｂは、擬似取引サーバ１０宛てのパケット等のデータを受信する為のモジュールである。検証手段１６ｃは、体験会員の持株と、売り注文予定の株が同一のものであるかを検証するためのモジュールである。抽出手段１６ｄは、株の売り注文及び買い注文の際に、株価サーバ４２が証券取引所サーバ４３より取得した株価情報内より、注文の対象となる銘柄の最新株価情報を抽出する為のモジュールである。売り注文執行手段１６ｅは、売り注文の取引が決定した際の保有株数及び口座残高を更新して、体験会員記憶装置２７に格納するモジュールである。この取引履歴及び取引した時間も体験会員記憶装置２７に格納される。買い注文執行手段１６ｇは、買い注文の取引が決定した際の保有株数及び口座残高を更新して、体験会員記憶装置２７に格納するモジュールである。この取引履歴及び取引した時間も体験会員記憶装置２７に格納される。口座残高計算手段１６ｆは、株の売り注文及び買い注文の際に、体験会員の口座預金を計算する為のモジュールである。注文取消手段１６ｈは、売り注文又は買い注文を取り消す為のモジュールである。注文取消の際には、注文取消情報及び取消時間が体験会員記憶装置２７の取引履歴に記録される。項目名変換手段１６ｉは、証券会社毎に異なるデータの項目を統一させる為の変換処理を行うモジュールである。例えば、図６に示す項目名変換記憶部１８内の統一項目７２が、「指値、成行、現値、口座残高、取引市場、買注文、売注文」であった場合、項目名変換手段１６ｉは、Ａ証券会社の「現在値」を「現値」、「市場」を「取引市場」、「買い注文」を「買注文」、「売り注文」を「売注文」に変換する。判定手段１６ｊは、最新株価と指値金額等の金額、数値の大小を判定するためのモジュールである。
【００２６】
入力装置１１、出力装置１２、通信制御装置１３、主記憶装置１４、インターフェース１５は、体験会員管理サーバ２０と同様である為説明を省略する。
【００２７】
ウォッチングサーバ３０は、ウォッチングファイル３７を備えている。ウォッチングファイル３７は、図７に示すようなデータ構造をもち、データ項目として、体験会員ＩＤ５１、会員名５２、銘柄５９等より構成される。銘柄５９は、取引市場６１、銘柄コード６２、銘柄名６３、株価条件６８、ニュース配信６９等から構成される。銘柄５９は、図７に示すように、複数存在して構わない。
【００２８】
ウォッチングサーバ３０は、体験会員が閲覧希望する銘柄に関する情報をウォッチングファイル３７に登録する。例えば、携帯電話２の画面上に図１５（ａ）のようにウォッチング内容画面を表示させ、図７の株価ボックス９６に株価を「２４００」と入力させ、株価条件ボックス９７に「以下」と入力する。ウォッチングサーバ３０は、この情報を図７のウォッチングファイル３７に登録する。又、ウォッチングファイル３７に登録されている銘柄に関するニュース等を情報配信サービスサーバ４４より取得し、体験会員宛てのニュースメールのキーワードを作成する。例えば、図７のように株価条件６８が「２４００≧（株価２４００以下）」とある場合、株価が２４００以下となった場合にこの株価情報とそれに関係する情報を携帯電話２に送信し、図１５（ｂ）のように画面上に表示する。
【００２９】
（株取引体験方法）
次に、図１の株取引体験システム１００を用いた株取引体験方法について図面を参照して説明する。以下では、株取引体験システム１００におけるアクセス処理方法、買い注文取引方法、売り注文取引方法及び注文照会・注文取消方法について述べる。以下の処理は、株取引体験業者システム４が運営するＡ証券会社システム７、Ｂ証券会社システム８、Ｃ証券会社システム９等の複数の株取引シミュレーションのいずれを選択するかを体験会員が決定した後に、選択した証券会社の株取引シミュレーションサイトにＵＲＬ等を接続して行うものとするが、この選択は下記の処理の途中に行わせることも可能である。
【００３０】
（アクセス処理方法）
先ず、株取引体験サイトにアクセスする処理の動作について図８のフローチャートを用いて説明する。以下の処理では体験会員のアクセス処理を体験会員管理サーバ２０が行う場合について説明するが、アクセス処理は各証券会社の株取引サーバ７ａ、７ｂ、７ｃにて行うことも可能である。
【００３１】
（ａ）先ず、ステップＳ１０１において、携帯電話２及びパソコン３と、体験会員所望の証券会社の株取引シミュレーションサイトを保持する体験会員管理サーバ２０間の通信が確立し、携帯電話２及びパソコン３より株取引体験サイトへのアクセス要求が送信される。ステップＳ１０２では、体験会員管理サーバ受信手段２６ｂがアクセス要求を受け、画面提示手段２６ｅが画面テンプレート記憶装置２９より体験会員所望の証券会社のＩＤ・パスワード入力画面を取り出し、携帯電話２及びパソコン３に送信する。
【００３２】
（ｂ）ステップＳ１０３において、ＩＤ・パスワード入力画面上で、体験会員のＩＤとパスワードの入力が完成すると、携帯電話２及びパソコン３は、再び体験会員管理サーバ２０にＩＤ・パスワード入力画面を送信する。このＩＤ及びパスワードは、体験会員が自らで設定しても、体験会員管理サーバ２０がランダムに設定してもよいものとする。一例として、初回は体験会員管理サーバ２０が設定した仮のＩＤ及びパスワードを付与して携帯電話２及びパソコン３に表示させ、次回から体験会員の所望するＩＤ及びパスワードを使用したりしてもよい。初回で付与した仮のＩＤとパスワード、体験会員の所望により入力されたＩＤ及びパスワードは体験会員記憶装置２７に格納される。
【００３３】
（ｃ）ステップＳ１０４では、受信したＩＤに対し体験会員認証手段２６ｃが認証処理を行い、受信したパスワードに対しパスワード認証手段２６ｄが認証処理を行う。各認証処理は体験会員記憶装置２７に格納されているデータとの照合により行われる。
【００３４】
（ｄ）ステップＳ１０５において、受信したＩＤ及びパスワードが適切か否かの判定を行い、適切でなかった場合、画面提示手段２６ｅはエラーメッセージ等とともに再びＩＤ・パスワード入力画面を送信する。適切であった場合、ステップＳ１０６において、画面提示手段２６ｅは、画面テンプレート記憶装置２９より体験会員用トップ画面を取り出し、これを携帯電話２及びパソコン３に送信する。結果、ステップＳ１０７において、携帯電話２及びパソコン３の画面に体験会員用トップ画面が表示され、ログインが完了する。
【００３５】
上記では体験会員専用のＩＤ・パスワード入力画面を使用しているが、正規の会員である口座会員も同様の画面を使用して、ＩＤとパスワードを入力させ、体験会員管理サーバ２０内で体験会員であるか口座会員であるかの判定を行わせてもよい。この場合、口座会員のＩＤとパスワードは各証券会社の株取引サーバ７ａ、８ａ、９ａに送信される。尚、この動作は、携帯電話２及びパソコン３の画面上処理では意識させないように行うことが好ましい。
【００３６】
（買い注文取引方法）
以下、仮想株式現物買い取引方法について、図９のフローチャート及び図１２の画面遷移図を用いて説明する。尚、図３の画面遷移図はユーザ端末が携帯電話２だとして表示してあるが、パソコン３においても使用可能なのは勿論である。
【００３７】
（イ）ステップＳ２０１においては、ステップＳ１０７においてログイン完了後に、体験会員用トップ画面より、体験会員所望の証券会社のメニュー画面の送信要求を行う。ステップＳ２０２では、送信要求を受けた画面提示手段２６ｅは、携帯電話２に、体験会員所望の証券会社のメニュー画面（図１２（ａ）参照）を送信し、携帯電話２の画面上に提示する。メニュー画面上には、例えば、現物買注文リンク８１、保有株式一覧リンク８２、注文照会・取消リンク８３及び約定照会リンク８４が表示される。ステップＳ２０２において、携帯電話２を介し、現物買注文リンク８１の画面表示要求を体験会員管理サーバ受信手段２６ｂが受信すると、画面提示手段２６ｅは、図１２（ｂ）に示す買い注文画面を送信し、携帯電話２の画面上に提示する。
【００３８】
（ロ）ステップＳ２０３では、携帯電話２の図１２（ｃ）に示す画面上に現物買い注文情報を入力する。一例として、証券取引所をラジオボタン８５に、銘柄コードを銘柄ＣＤボックス８６に、買う株数を株数ボックス８７に、指値を指値ボックス８８に、成行を許可するか否かを成行チェックボックス８９に入力させ、全ての入力が終わると、確認ボタン９０を押下させる。押下後、株式現物取引に関するリンク画面に入力された情報（以下、現物買い注文情報と記載）は、インターネット１、体験会員管理サーバ２０を介して、擬似取引サーバ１０に送信される。
【００３９】
（ハ）ステップＳ２０４では、擬似取引サーバ受信手段１６ｂが、現物買い注文情報を受信する。銘柄ＣＤボックス８６に入力された銘柄コードを基に、データベースサーバ４１は現物買い注文情報中の銘柄コードに対応する銘柄名を検索する。この銘柄名は主記憶装置１４にて一時記憶される。ステップＳ２０５において、株価サーバ４２は証券取引所サーバ４３より売り気配情報、買い気配情報等の最新株価情報取得し、株価データベース４２ａに保管する。抽出手段１６ｄはこの最新株価情報より一時記憶されている銘柄名に関連する情報を抽出する。銘柄名及び銘柄名に関連する情報は体験会員管理サーバ２０に渡され、ページ生成手段２６ｆは、銘柄名及び銘柄名に関連する情報を基にＷｅｂページを作成し、画面提示手段２６ｅが、Ｗｅｂページを携帯電話２の機種等に応じて変換させ、インターネット１を介して携帯電話２に送信し、画面上に図１２（ｃ）の現物買い注文確認画面を提示する。
【００４０】
（ニ）ステップＳ２０６において、体験会員に買い注文の確認をさせた後、パスワード入力ボックス９１に携帯電話２付属のキーボード等よりパスワードを入力させ発注ボタン９２を押下させる。押下後、パスワード、現物買い注文情報及び発注要求が体験会員管理サーバ２０に送信される。ステップＳ２０７において、パスワード認証手段２６ｄは、送信されたパスワードと体験会員記憶装置２７に格納されたパスワードとの認証処理を行い、認証されると、体験会員所望の証券会社名、体験会員ＩＤ及び現物買い注文情報を擬似取引サーバ１０に渡す。認証に失敗した場合、ステップＳ２２１においてエラー画面を携帯電話２に提示し、パスワードの再入力を要求する。
【００４１】
（ホ）ステップＳ２０８では、項目名変換手段１６ｉが項目名の変換処理を行う。これは、各証券会社のデータ項目名を、図６の項目名変換記憶部１８の統一項目７２に変換する。次にステップＳ２０９において、株価サーバ４２がステップＳ２０５において証券取引所サーバ４３より取得した、買い注文対象となる銘柄の最新株価情報を主記憶装置１４に送信する。ステップＳ２１０で、現物買い注文情報の指値及び成行の情報を基に、買い注文を指値で行うか成行で行うか判定する。例えば、図１２（ｂ）の成行チェックボックス８９にチェック有りだと成行で買い注文を行い、ステップＳ２１１において口座残高計算手段１６ｆが指値に必要な口座残高計算を行う。成行チェックボックス８９にチェック無しだと指値ボックス８８に入力されている指値で買い注文を行い、ステップＳ２１２において口座残高計算手段１６ｆが成行に必要な口座残高計算を行う。この体験会員が保有する口座には、最初から一定金額の仮想貨幣が預金されているものとする。又、前回の株取引の金額は体験会員記憶装置２７に記憶され、今回残高の際にその金額が表示されるものとする。
【００４２】
（ヘ）ステップＳ２１３で、口座残高計算の結果、指値での買い注文に必要な残高がある場合、ステップＳ２０９において取得されている最新の株価は指値以下であるかを判定手段１６ｊが判定する（ステップＳ２１６）。判定結果、指値以下である場合は、買い注文執行処理に進む。指値以上であった場合、ステップＳ２１７において指値以下となるまで待機状態であるという情報を体験会員管理サーバ２０に渡し、ステップＳ２１８において画面提示手段２６ｅがこの待機状態であることを携帯電話２の画面上に提示する。成行での買い注文に必要な残金がある場合、買い注文執行処理に進む。口座残高計算の結果、残高不足の場合はステップＳ２１４において残高不足である情報を体験会員管理サーバ２０に渡し、ステップＳ２１５において画面提示手段２６ｅが残高不足であることを携帯電話２の画面上に提示する。
【００４３】
（ト）ステップＳ２１９では、買い注文執行処理として、体験会員記憶装置２７の保有株数６４欄の保有株数に新たに購入した保有株数を加算して表示し、口座残高５６欄の口座残高に新たに購入した金額を減算して表示する。又、取引の記録として注文情報５８を作成し、体験会員管理サーバ２０等の内部時計よりＡＰＩ（アプリケーションプログラムインターフェース）等を介して取引した時刻を取得し、取引時刻７０に入力する。最後にステップＳ２２０において注文完了であるデータを体験会員管理サーバ２０に渡し、画面提示手段２６ｅが注文が完了したことを、図１２（ｄ）のように、携帯電話２の画面上に提示する（ステップＳ２２１）。
【００４４】
（売り注文取引方法）
以下、売り注文取引方法について、図１０のフローチャート及び図１３の画面遷移図を用いて説明する。
【００４５】
（イ）ステップＳ３０１においては、ステップＳ１０７においてログイン完了後に、体験会員用トップ画面より、体験会員所望の証券会社のメニュー画面の送信要求を行う。ステップＳ３０２では、送信要求を受けた画面提示手段２６ｅは、携帯電話２に、体験会員所望の証券会社のメニュー画面（図１２（ａ）参照）を送信し、携帯電話２の画面上に提示する。ステップＳ３０３において、体験会員は携帯電話２を介して保有株式一覧リンク８２の画面表示要求を行う。ステップＳ３０４において、この画面表示要求を体験会員管理サーバ受信手段２６ｂが受信すると、抽出手段２６ｇが、体験会員のＩＤ及びパスワードを基に、体験会員記憶装置２７内の該当するレコードの抽出処理を行い、体験会員が保有する株の注文情報５８（図５参照）を抽出する。ステップＳ３０５において、ページ生成手段２６ｆはこの注文情報５８を基に保有株式一覧画面ページを作成し、画面提示手段２６ｅはこのページを適切なフレームに変換後、携帯電話２の画面上に図１３（ａ）のように保有株式一覧画面を表示する（ステップＳ３０６）。保有株式一覧画面上の各保有株式の情報には売却ボタン９３ａ、９３ｂ、９３ｃが付いている。ステップＳ３０７において、売却する株式を選択し、この売却ボタン９３ａ、９３ｂ、９３ｃを押下すると、携帯電話２の画面上に図１３（ｂ）のような現物売り注文入力画面を表示する。この現物売り注文入力画面は、図１３（ａ）の保有株式一覧画面送信時に、同時送信されているものとする。
【００４６】
（ロ）ステップＳ３０８では、図１３（ｂ）の現物売り注文入力画面上に現物売り注文情報を入力する。一例として、証券取引所をラジオボタン８５に、株数を株数ボックス８７に、売却する株数を株数ボックス８７に、指値を指値ボックス８８に、成行を許可するか否かを成行チェックボックス８９に、株式売却額の１．０５％を課税する源泉分離課税の計算を行う場合は源泉チェックボックス９３に入力させ、全ての入力が終わると、確認ボタン９４を押下させる。押下後、株式現物売り注文取引に関するリンク画面に入力された情報（以下、現物売り注文情報と記載）は、インターネット１、体験会員管理サーバ２０を介して、擬似取引サーバ１０に送信される。
【００４７】
（ハ）ステップＳ３０９では、擬似取引サーバ受信手段１６ｂが、現物売り注文情報を受信する。株価サーバ４２は証券取引所サーバ４３より売り気配情報、売り気配情報等の最新株価情報取得し、株価データベース４２ａに保管する。抽出手段１６ｄはこの最新株価情報より売り注文となる銘柄名に関連する情報を抽出する。ステップＳ３１０において、銘柄名及び銘柄名に関連する情報は体験会員管理サーバ２０に渡され、ページ生成手段２６ｆは、銘柄名及び銘柄名に関連する情報を基にＷｅｂページを作成する。これを画面提示手段２６ｅが、Ｗｅｂページを携帯電話２の機種等に応じて変換させ、インターネット１を介して送信し、図１３（ｃ）の現物売り注文確認画面を携帯電話２の画面上に提示する。
【００４８】
（ニ）ステップＳ３１１において、体験会員に売り注文の確認をさせた後、パスワード入力ボックス９１に携帯電話２付属のキーボード等よりパスワードを入力させ発注ボタン９５を押下させる。押下後、パスワード、現物売り注文情報及び発注要求が体験会員管理サーバ２０に送信される。ステップＳ３１２において、パスワード認証手段２６ｄは、送信されたパスワードと体験会員記憶装置２７に格納されたパスワードとの認証処理を行い、認証されると、体験会員所望の証券会社名、体験会員ＩＤ及び現物売り注文情報を擬似取引サーバ１０に渡す。認証に失敗した場合、ステップＳ３１３においてエラー画面を携帯電話２に提示し、パスワードの再入力を要求する。
【００４９】
（ホ）ステップＳ３１４では、項目名変換手段１６ｉが項目名の変換処理を行う。これは、各証券会社のデータ項目名を、図６の項目名変換記憶部１８の統一項目７２に変換する。次にステップＳ３１５において、現物売り注文情報の指値及び成行の情報を基に、売り注文を指値で行うか成行で行うか判定する。例えば、図１３（ｂ）の成行チェックボックス８９にチェック有りだと成行で売り注文を行う。
【００５０】
（ヘ）ステップＳ３１６では、判定手段１６ｊが、ステップＳ３０９において取得された売り注文予定の最新の株価が指値以上であるかを判定する。判定の結果、指値以上である場合は、売り注文執行処理に進む。指値以下であった場合、ステップＳ３１７において指値以上となるまで待機状態であるという情報を体験会員管理サーバ２０に渡し、ステップＳ３１８において画面提示手段２６ｅがこの待機状態であることを携帯電話２の画面上に提示する。
【００５１】
（ト）ステップＳ３１９では、売り注文執行処理として、体験会員記憶装置２７の保有株数６４欄の保有株数に今回売却した保有株数を減算し、口座残高計算手段１６ｆが口座残高５６欄の口座残高に売却した金額を減算する。又、取引の記録として注文情報５８を作成し、体験会員管理サーバ２０等の内部時計よりＡＰＩ等を介して取引した時刻を取得し、取引時刻７０に入力する。最後にステップＳ３２０において売り注文完了であるデータを体験会員管理サーバ２０に渡し、画面提示手段２６ｅが売り注文の完了を、図１３（ｄ）のように、携帯電話２の画面上に提示する（ステップＳ３２１）。
【００５２】
（注文照会・注文取消方法）
以下、注文照会・注文取消方法について、図１１のフローチャート及び図１４の画面遷移図を用いて説明する。
【００５３】
（イ）ステップＳ４０１においては、ステップＳ１０７においてログイン完了後に、体験会員用トップ画面より、体験会員所望の証券会社のメニュー画面の送信要求を行う。ステップＳ４０２では、送信要求を受けた画面提示手段２６ｅは、携帯電話２に、体験会員所望の証券会社のメニュー画面（図１２（ａ）参照）を送信し、携帯電話２の画面上に提示する。ステップＳ３０３において、体験会員は携帯電話２を介して注文照会・取消リンク８３の画面表示要求を行う。ステップＳ４０４において、この画面表示要求を体験会員管理サーバ受信手段２６ｂが受信すると、抽出手段２６ｇが、体験会員のＩＤ及びパスワードを基に、体験会員記憶装置２７内の該当するレコードの抽出処理を行い、体験会員が保有する株の注文情報５８（図５参照）を抽出する。
【００５４】
（ロ）ステップＳ４０５において、ページ生成手段２６ｆはこの注文情報５８を基に保有株式一覧画面ページを作成し、画面提示手段２６ｅはこのページを適切なフレームに変換後、携帯電話２の画面上に図１４（ａ）のように保有株式一覧画面を表示する（ステップＳ４０６）。保有株式一覧画面上の各保有株式の情報には取消ボタン９８ａ、９８ｂ、９８ｃが付いている。ステップＳ４０７において、体験会員にパスワード入力ボックス９１にパスワードを入力させ、取引を停止する株式を選択させ、この取消ボタン９８ａ、９８ｂ、９８ｃを押下させる。押下後パスワード及び取引を停止する株の情報が、インターネット１を介して、体験会員管理サーバ２０に送信される。
【００５５】
（ハ）ステップＳ４０８において、パスワード認証手段２６ｄは、送信されたパスワードと体験会員記憶装置２７に格納されたパスワードとの認証処理を行い、認証されると、体験会員所望の証券会社名、体験会員ＩＤ及び取引を停止する株の情報を擬似取引サーバ１０に渡す。認証に失敗した場合、ステップＳ４０９においてエラー画面を携帯電話２に提示し、パスワードの再入力を要求する。
【００５６】
（ニ）ステップＳ４１０において、擬似取引サーバ１０の注文取消手段１６ｈは、体験会員ＩＤ及び取引を停止する株の情報を確認すると、データベースサーバ４１に体験会員記憶装置２７内の体験会員が保有する注文情報５８のデータの更新停止を依頼する。注文取消手段１６ｈは、体験会員管理サーバ２０等の内部時計よりＡＰＩ等を介して取引停止した時刻を取得し、図５の取引停止時刻７１に入力する。尚、このデータは履歴として別のファイルに保管しておくことが望ましい。最後にステップＳ４１１において取引停止完了であるデータを体験会員管理サーバ２０に渡し、画面提示手段２６ｅが携帯電話２の画面上に図１４（ｃ）のような注文取消画面を表示する（ステップＳ４１２）。
【００５７】
尚、株取引体験システム１００は、上記のアクセス処理方法、買い注文取引方法、売り注文取引方法及び注文照会・注文取消方法の他にも、様々な株取引シミュレーションを行うことができる。例えば、体験会員用トップ画面に、株式現物取引リンク、株式信用取引リンク、オプション取引リンク、口座情報リンク、登録銘柄表示リンク、業種指定表示リンク、銘柄指定表示リンク及びオプション価格表示リンク等を表示する。株式現物取引リンクは、現金で株式を購入し、株券を差し出して売却する株式現物取引ページへリンクさせる。株式信用取引リンクは、顧客が証券会社に約定代金の一定比率の証拠金を担保として預託し、買い付け代金及び売付株券を借りて売買を行い一定期間内に決済する株取引ページへリンクさせる。オプション取引リンクは、決められた日までに決められた価格で、一定数の株を買う権利又は売る権利を売買するオプション取引ページへリンクさせる。口座情報リンクは、顧客の口座情報ページへリンクさせる。登録銘柄表示リンクは、事前登録した銘柄の株価を表示するページへリンクさせる。業種指定表示リンクは、業界別の株価を表示するページへリンクさせる。銘柄指定表示リンクは、銘柄名又は銘柄コードを入力して株価を検索するページへリンクさせる。オプション価格表示リンクは、オプション取引での株価情報を表示するページへリンクさせる。この他にも株式取引に関係する多種多様なページへリンクさせることが可能である。
【００５８】
上記の株取引体験システム１００による株取引シミュレーションでは、新規顧客は体験会員として、稼動しているネットワーク株取引サイトと擬似した画面上において、仮想貨幣を使用し、実際の取引と全く同様の株取引を体験することができる。この為、新規顧客は取引方法に不安を覚えることなく、実際の株取引の操作を行うことが可能となる。
【００５９】
一方、証券会社においては、初心者用株取引シミュレーションの作成及び運営を株取引体験業者に委託することにより、サイト運営コストを下げることができる。又、実際の取引と全く同様の株取引を体験した体験会員は、その安心感より体験後に取引を開始し、口座会員となることが多い為、新規顧客の囲い込みを行うことが可能となる。体験会員の情報を体験会員記憶装置に格納する為、新規の口座会員となった際に、データのやり取りが簡易である。又、体験会員としての取引の履歴により、株取引初心者の男女別、年代別の株売買の傾向、株取引初心者が犯しやすい操作ミス、誤解等を把握することができ、これに応じたヘルプ項目データベース、辞書データベース等を作成、改良することが可能となる。
【００６０】
【発明の効果】
本発明によれば、稼動しているネットワーク株取引サイトと擬似した画面上にて、仮想貨幣を使用したネットワーク上での株取引を一通り体験する株取引体験システム、株取引体験方法及び株取引体験プログラムを提供することができる。
【図面の簡単な説明】
【図１】本発明の実施の形態に係る株取引体験システムの概要を示す概要図である。
【図２】本発明の実施の形態に係る擬似取引サーバの構成を示す構成図である。
【図３】本発明の実施の形態に係る体験会員管理サーバの構成を示す構成図である。
【図４】体験会員記憶装置が格納するデータの構造を示すデータ構造の一例である。
【図５】体験会員記憶装置が格納するデータの構造を示すデータ構造の一例である。
【図６】項目名変換記憶部が格納するデータの構造を示すデータ構造の一例である。
【図７】ウォッチングファイルが格納するデータの構造を示すデータ構造の一例である。
【図８】本発明の実施の形態に係る株取引体験システムのアクセス処理の動作を示すフローチャートである。
【図９】本発明の実施の形態に係る株取引体験システムの買い注文処理の動作を示すフローチャートである。
【図１０】本発明の実施の形態に係る株取引体験システムの売り注文処理の動作を示すフローチャートである。
【図１１】本発明の実施の形態に係る株取引体験システムの注文照会、注文取消処理の動作を示すフローチャートである。
【図１２】買い注文処理にて使用する画面の画面遷移図である。
【図１３】売り注文処理にて使用する画面の画面遷移図である。
【図１４】注文照会、注文取消処理にて使用する画面の画面遷移図である。
【図１５】ウオッチング処理にて使用する画面の画面遷移図である。
【符号の説明】
１…インターネット
２…携帯電話
３…パソコン
４…株取引体験業者
５…ＬＡＮケーブル
６…株取引体験会員管理サーバ群
７…Ａ証券会社
７ａ…株取引サーバ
７ｂ…口座会員ファイル
８…Ｂ証券会社
８ａ…株取引サーバ
８ｂ…口座会員ファイル
９…Ｃ証券会社
９ａ…株取引サーバ
９ｂ…口座会員ファイル
１０…擬似取引サーバ
１１、２１…入力装置
１２、２２…出力装置
１３、２３…通信制御装置
１４、２４…主記憶装置
１５、２５…インターフェース
１６、２６…ＣＰＵ
１６ａ…擬似取引サーバ送信手段
１６ｂ…擬似取引サーバ受信手段
１６ｃ…検証手段
１６ｄ…抽出手段
１６ｅ…売り注文執行手段
１６ｆ…口座残高計算手段
１６ｇ…買い注文執行手段
１６ｈ…注文取消手段
１６ｉ…項目名変換手段
１６ｊ…判定手段
１７…体験会員記憶部
１８…項目名変換記憶部
１９…銘柄コード記憶部
２０…体験会員管理サーバ
２６ａ…体験会員管理サーバ送信手段
２６ｂ…体験会員管理サーバ受信手段
２６ｃ…体験会員認証手段
２６ｄ…パスワード認証手段
２６ｅ…画面提示手段
２６ｆ…ページ生成手段
２６ｇ…抽出手段
２７…体験会員記憶装置
２８ａ、２８ｂ、２８ｃ…体験会員ファイル
２９…画面テンプレート記憶装置
３０…ウォッチングサーバ
３７…ウォッチングファイル
４１…データベースサーバ
４２…株価サーバ
４３…証券取引所サーバ
４４…情報配信サービスサーバ
５１…体験会員ＩＤ
５２…会員名
５３…ＩＤ
５４…パスワード
５５…口座番号
５６…口座残高
５７…保有株式
５８…注文情報
５９…銘柄
６１…取引市場
６２…銘柄コード
６３…銘柄名
６４…保有株数
６５…注文株数
６６…指値
６７…成行
６８…株価条件
６９…ニュース配信
７０…取引時刻
７１…取引停止時刻
７２…統一項目
８１…現物買注文リンク
８２…保有株式一覧リンク
８３…取消リンク
８４…約定照会リンク
８５…ラジオボタン
８６…ボックス
８７…株数ボックス
８８…指値ボックス
８９…成行チェックボックス
９０、９４…確認ボタン
９１…パスワード入力ボックス
９２、９５…発注ボタン
９３…源泉チェックボックス
９３ａ、９３ｂ、９３ｃ…売却ボタン
９６…株価ボックス
９７…株価条件ボックス
９８ａ、９８ｂ、９８ｃ…取消ボタン
１００…株取引体験システム
【図１】
2004126779.tif 000003
【図２】
2004126779.tif 000004
【図３】
2004126779.tif 000005
【図４】
2004126779.tif 000006
【図５】
2004126779.tif 000007
【図６】
2004126779.tif 000008
【図７】
2004126779.tif 000009
【図８】
2004126779.tif 000010
【図９】
2004126779.tif 000011
【図１０】
2004126779.tif 000012
【図１１】
2004126779.tif 000013
【図１２】
2004126779.tif 000014
【図１３】
2004126779.tif 000015
【図１４】
2004126779.tif 000016
【図１５】
2004126779.tif 000017